(57)【要約】      （修正有）【課題】包装紙の製造が簡便になると同時に、製造コストの削減が図れる新しい形態の箸置き兼用箸簡易包装紙を提供する。【解決手段】本発明による箸置き兼用箸簡易包装紙１００は幾何学的に単純化されたパターンの折畳み線１４０が形成されている包装紙の片側部位を持って一方向に押す単純動作によって、包装紙が膨らんで箸置き機能が果たされ、製造が簡便で原価が低い。また、別途に折畳む動作がないため、使用者が非常に便利で包装紙を箸置きとして迅速、かつ容易に使用でき、簡単なイベントにも役に立っている。さらに、箸置き兼用箸簡易包装紙１００は切込みラインが形成されて、箸置き機能を果たさない部位が切断される一方、切断部位に補助折畳み線が形成されて使い捨て簡易スプーンとして折畳まれて、飲食店などで調味料を少量に取りまたは減らすことに使用し、これにより、使用者の便益性を向上させることができる。【選択図】図１２
2019181143.tif 000002
【特許請求の範囲】
【請求項１】
平面により形成される底面ユニット（１１０）と、
前記底面ユニット（１１０）の長手方向の下端部と左右側部位で連結され、かつ前記底面ユニット（１１０）の長手方向の上端部と分離するように形成される支持面ユニット（１２０）と、を含み、
前記底面ユニット（１１０）と前記支持面ユニット（１２０）の間の内部空間（１３０）には箸（１）が挿入され、
前記支持面ユニット（１２０）において、長手方向の下端部と上端部には基本折畳み線（ｆｏｌｄｉｎｇ  ｌｉｎｅ）（１４０）が形成され、
前記底面ユニット（１１０）と前記支持面ユニット（１２０）の長手方向の上端部を共に掴んだ状態で、長手方向の下端方向に向かって前記支持面ユニット（１２０）を押す、使用者の動作によって一組の基本折畳み線（１４０）の間の前記支持面ユニット（１２０）部位が膨らむことにより、箸支え機能を果たす、ことを特徴とする箸置き兼用箸簡易包装紙。
【請求項２】
前記基本折畳み線（１４０）は弧形状パターン、左右対称になる多角ライン形状パターン、左右対称になる曲線ラインと直線ラインが組合わされた形状パターンのうち、いずれか１つの形状パターンから形成されている、ことを特徴とする請求項１に記載の箸置き兼用箸簡易包装紙。
【請求項３】
前記底面ユニット（１１０）において、長手方向の下端部には、前記支持面ユニット（１２０）の長手方向の下端部の基本折畳み線（１４０）に対応する底面折畳み線（１５０）が形成される、ことを特徴とする請求項１に記載の箸置き兼用箸簡易包装紙。
【請求項４】
前記支持面ユニット（１２０）には長手方向に直線形状の補助折畳み線（１６０）が形成され、
一組の基本折畳み線（１４０）の間の支持面ユニット（１２０）部位が膨らむ過程が安定的に行われる、ことを特徴とする請求項１に記載の箸置き兼用箸簡易包装紙。
【請求項５】
前記支持面ユニット（１２０）において、長手方向の上端部末端には折畳み可能に補助切片（１７０）が形成され、
前記補助切片（１７０）は使用者の指によって掴まれてスライディング移動する過程で、一組の基本折畳み線（１４０）の間の支持面ユニット（１２０）部位が膨らむ、ことを特徴とする請求項１に記載の箸置き兼用箸簡易包装紙。
【請求項６】
前記底面ユニット（１１０）において、前記支持面ユニット（１２０）の長手方向の上端部末端ラインに対応する部位には切込みライン（１９０）が形成されて、切込みライン（１９０）に沿って前記底面ユニット（１１０）の上端部が切断される、ことを特徴とする請求項１に記載の箸置き兼用箸簡易包装紙。
【請求項７】
前記底面ユニット（１１０）において、切込みライン（１９０）の上側部位には設定パターンの補助折畳み線（１６０’）が形成され、
切断された前記底面ユニット（１１０）の上端部は補助折畳み線（１６０’）に沿って折畳まれて、使い捨て簡易スプーンで使用される、ことを特徴とする請求項６に記載の箸置き兼用箸簡易包装紙。
【発明の詳細な説明】
【技術分野】
【０００１】
本発明は箸置き兼用箸簡易包装紙に関し、更に具体的は幾何学的に単純化されたパターンの折畳み線（ｆｏｌｄｉｎｇ  ｌｉｎｅ）が形成された包装紙の片側部位を掴んで一方向に押す単純動作で包装紙が膨らんで箸置き機能が果たされることにより、製造が簡便化され、かつ原価が削減される。一般の飲食店で幅広く活用され、別途の面倒な折畳む動作がなくなり、使用者が便利に包装紙を箸置きとして迅速、かつ容易に行う一方、簡単なイベントにも使用され、包装紙に切込みラインが形成されて箸置きとして使用されない部位が切断され、該切断された部位に補助折畳み線が形成されることで、使い捨て簡易スプーンとして折畳まれて飲食店などで調味料を少量に取りまたは減らすことに使用されるため、使用者の便宜を向上させる箸置き兼用箸簡易包装紙に関する。
【背景技術】
【０００２】
飲食店で提供される箸は図１に示されるように、包装紙に入れることで、衛生的な保管と使用前の汚物付着防止を目的とする場合が多い。
【０００３】
食事をする際に、箸を繰り返し食卓の上に置く場合、箸の食べ物をつかむ部分が食卓に触れるため、食卓に付いた汚物などが箸の食べ物をつかむ部分に付着して非衛生的な食事をすることになる。そこで、食卓に付いた汚物が箸の先端部分に付くことを防止できるように、箸置きを別途にお客に提供することにより、衛生的な環境で食事をするようにサービスを行っているが、一般的な飲食店では箸置きを別途に提供しない場合が多い。
【０００４】
これに伴って、図２に示されるように大韓民国実用新案公報番号第１９９４−００００９３３における、「折畳みラインを有する箸用包装紙」（特許文献１）、図３に示されるように大韓民国実用新案公開番第２０−１９９９−００２０１２０における、「箸置きを一体として具備した箸用包装紙」（特許文献２）等では、箸置き性能を有する箸用包装紙を開示しているが、包装紙の形状や構造は複雑であり、包装紙の製造が面倒で、必要以上に製造コストが増大されるため、実際に飲食店では使用できない恐れがある。また、箸置きとして使用するために包装紙を設定パターンに従って折畳む動作が単純ではなく、使用者の不便を引き起こす恐れもあった。
【先行技術文献】
【特許文献】
【０００５】
【特許文献１】大韓民国実用新案公告番号第１９９４−００００９３３公報「折畳みラインを有する箸用包装紙」
【特許文献２】大韓民国実用新案公開番号第２０−１９９９−００２０１２０公報「箸置きを一体として具備した箸用包装紙」
【発明の概要】
【発明が解決しようとする課題】
【０００６】
本発明は上述した従来技術の問題点を改善するために、包装紙の一面に形成される単純化された幾何学的パターン形状の折畳み線（ｆｏｌｄｉｎｇ  ｌｉｎｅ）により、平面状態の包装紙がブロック体に立体化される構造を提供し、これにより、ミニマリズム（ｍｉｎｉｍａｌｉｓｍ）デザインが実現されて、包装紙の製造が簡便になると同時に、製造コストの削減が図れる新しい形態の箸置き兼用箸簡易包装紙を提供することを目的とする。
【０００７】
本発明は折畳み線が形成された包装紙の片側部位を掴んで、一方向に押す単純動作によって包装紙がブロック体に立体化されることにより、箸置き機能が実現される構造を提供する。そのため、使用者の面倒さが最小化され、包装紙を迅速、かつ容易に箸置きに変換させる新しい形態の箸置き兼用箸簡易包装紙を提供することを目的とする。
【０００８】
また、本発明は包装紙の一面に形成されるイベント用表示部が補助切片によって隠されたり露出される構造を提供するため、簡単なイベントも行われる新しい形態の箸置き兼用箸簡易包装紙を提供することを目的とする。
これと共に本発明は包装紙の一面に切込みラインが形成されて、箸置き機能を実現しない部位が切断され、切断部位に補助折畳み線が形成されることで、使い捨て簡易スプーンに折畳まれて飲食店などで調味料を少量に取りまたは減らすことに使用される。これにより、使用者の便益性が向上される新しい形態の箸置き兼用箸簡易包装紙を提供することを目的とする。
【課題を解決するための手段】
【０００９】
上述した目的を達成するために、本発明の提供する箸置き兼用箸簡易包装紙は、平面に形成される底面ユニット（１１０）と、底面ユニット（１１０）の長手方向の下端部と左右側部位で連結される一方、底面ユニット（１１０）の長手方向の上端部と分離して形成される支持面ユニット（１２０）を含み、底面ユニット（１１０）と支持面ユニット（１２０）の間の内部空間（１３０）には箸（１）が挟まれ、支持面ユニット（１２０）は長手方向の下端部と上端部に基本折畳み線（ｆｏｌｄｉｎｇ  ｌｉｎｅ）（１４０）を形成し、底面ユニット（１１０）と支持面ユニット（１２０）の長手方向の上端部を共に掴んだ状態で長手方向の下段方向に支持面ユニット（１２０）を押す、使用者の動作パターンによって一組の基本折畳み線（１４０）の間の支持面ユニット（１２０）部位が膨らんで箸支え機能が実現される。
【００１０】
本発明の箸置き兼用箸簡易包装紙において、基本折畳み線（１４０）は弧形状パターン、左右対称になる多角ライン形状パターン、左右対称になる曲線ラインと直線ラインが組合わされた形状パターンから選択される任意一つの形状パターンから形成されてもよい。
【００１１】
本発明の箸置き兼用箸簡易包装紙において、底面ユニット（１１０）は長手方向の下端部に支持面ユニット（１２０）の長手方向の下端部の基本折畳み線（１４０）に対応する底面折畳み線（１５０）を形成してもよい。
【００１２】
本発明の箸置き兼用箸簡易包装紙において、支持面ユニット（１２０）は長手方向に直線形状の補助折畳み線（１６０）を形成させることで、一組の基本折畳み線（１４０）の間の支持面ユニット（１２０）部位の膨らむ過程が安定的に実現されることができる。
【００１３】
本発明の箸置き兼用箸簡易包装紙において、支持面ユニット（１２０）は長手方向の上端部先端に補助切片（１７０）が折畳まれるように形成し、使用者は指で補助切片（１７０）を掴んでスライディング移動させる過程で、一組の基本折畳み線（１４０）の間の支持面ユニット（１２０）部位を膨らませることができる。
【００１４】
本発明の箸置き兼用箸簡易包装紙において、前記底面ユニット（１１０）は前記支持面ユニット（１２０）の長手方向の上端部先端ラインに対応する部位に切込みライン（１９０）を形成し、切込みライン（１９０）に沿って前記底面ユニット（１１０）の上端部が切断されるようにする。
【００１５】
本発明の箸置き兼用箸簡易包装紙において、前記底面ユニット（１１０）は切込みライン（１９０）の上側部位に設定パターンの補助折畳み線（１６０’）を形成し、切断された前記底面ユニット（１１０）の上端部は補助折畳み線（１６０’）に沿って折畳まれて使い捨て簡易スプーンに使用されてもよい。
【発明の効果】
【００１６】
本発明による箸置き兼用箸簡易包装紙によれば、単純化された幾何学的パターン形状の折畳み線（ｆｏｌｄｉｎｇ  ｌｉｎｅ）により平面状態の包装紙がブロック体に立体化される構造のミニマリズム（ｍｉｎｉｍａｌｉｓｍ）デザインに実現されて、包装紙の製造が簡便になり、製造コストが削減される効果を有する。これにより、一般的な飲食店で幅広く使用できる。
【００１７】
また、本発明による箸置き兼用箸簡易包装紙によれば、折畳み線が形成された包装紙の片側部位を掴んで一方向に押す単純な動作のみで包装紙の箸置きが図れるため、使用者の不便さと面倒さが最小化されて、包装紙を迅速、かつ容易に箸置きに変換して使用できる効果を有する。
【００１８】
また、本発明による箸置き兼用箸簡易包装紙によれば、包装紙の一面に形成されるイベント用表示部が補助切片によって隠されたり露出される方式で簡単なイベントも実現できる効果を有する。
【００１９】
また、本発明による箸置き兼用箸簡易包装紙によれば、包装紙の一面に切込みラインが形成されて箸置き機能を実現しない部位を切断することで、切断部位に補助折畳み線が形成されて使い捨て簡易スプーンに折畳むことができ、飲食店などで調味料を少量に取りまたは減らすことに使用し、使用者の便益性が向上する効果を有する。
【図面の簡単な説明】
【００２０】
【図１】従来の箸簡易包装紙を示す図である。
【図２】韓国実用新案公告番号１９９４−００００９３３の使用状態を示す図である。
【図３】韓国実用新案公開番号第２０−１９９９−００２０１２０の使用状態を示す図である。
【図４】本発明の箸置き兼用箸簡易包装紙の包装機能における使用状態を示す図である。
【図５】本発明の第１実施例における箸置き兼用箸簡易包装紙の支持面ユニット構造を示す図である。
【図６】（ａ）乃至（ｃ）は本発明の第１実施例における箸置き兼用箸簡易包装紙の支持面ユニットの基本折畳み線の形状例を示す図である。
【図７】本発明の第１実施例における箸置き兼用箸簡易包装紙が箸置きとして使用されるための使用者動作パターンを示す。
【図８】本発明の第１実施例における箸置き兼用箸簡易包装紙の支持面ユニットがブロック体に立体化された図である。
【図９】（ａ）と（ｂ）は本発明の第１実施例における箸置き兼用箸簡易包装紙の支持機能の使用状態を示す図である。
【図１０】（ａ）と（ｂ）は本発明の第１実施例における箸置き兼用箸簡易包装紙で切込まれる部位の補助折畳み線と使用例を示す図である。
【図１１】本発明の第２実施例における箸置き兼用箸簡易包装紙の底面ユニット構造を示す図である。
【図１２】本発明の第２実施例における箸置き兼用箸簡易包装紙の支持面ユニットがブロック体に立体化された図である。
【図１３】本発明の第２実施例における箸置き兼用箸簡易包装紙の支持面ユニット構造を示す図である。
【図１４】本発明の第２実施例における箸置き兼用箸簡易包装紙を箸置きとして使用されるための使用者動作パターンを示す図である。
【図１５】本発明の第２実施例における箸置き兼用箸簡易包装紙の支持機能及びイベント機能の使用状態を示す図である。
【図１６】本発明の第２実施例における箸置き兼用箸簡易包装紙を製造するための包装紙製作用展開図を示す図である。
【図１７】包装紙製作用展開図による箸置き兼用箸簡易包装紙製作過程を示す図である。
【図１８】切込み線が形成された包装紙製作用展開図を示す図である。
【図１９】切込み線が形成された包装紙製作用展開図による箸置き兼用箸簡易包装紙の製作過程及び使用例を示す図である。
【図２０】（ａ）と（ｂ）は底面ユニットに補助折畳み線が形成された包装紙製作用展開図を示す図である。
【発明を実施するための形態】
【００２１】
以下、本発明を実施例と図４乃至図２０を用いて詳細に説明する。一方、図面と詳細な説明では一般的な包装紙、箸包装紙、箸置き、折畳み線（ｆｏｌｄｉｎｇ  ｌｉｎｅ）等により、当業者が容易に知ることができる構成及び作用における図示、言及は簡略または省略する。特に図示及び詳細な説明は本発明の技術的特徴と直接的に関連しない要素の具体的な技術的構成及び作用に対する詳細な説明と図示は省略し、本発明に関する技術的構成のみを簡略的に図示または説明する。
【００２２】
図４に示すように、本発明における箸置き兼用箸簡易包装紙（１００）は底面ユニット（１１０）と支持面ユニット（１２０）を含む構成からなる。
【００２３】
底面ユニット（１１０）は包装紙（１００）の下部底面を形成し、テーブルなどの表面に置かれるために平面から形成される。本発明の実施例における底面ユニット（１１０）は長い長方形状から構成される。
【００２４】
支持面ユニット（１２０）は包装紙（１００）の上部面を形成し、支持面ユニット（１２０）も平面から形成されて、長い長方形状から形成されてもよい。支持面ユニット（１２０）は底面ユニット（１１０）より短い長さで形成されて、箸の一部が露出されてもよい。
【００２５】
支持面ユニット（１２０）は底面ユニット（１１０）の長手方向の下端部と左右側部位で連結される一方、底面ユニット（１１０）の長手方向の上端部と分離するように形成される。このため、底面ユニット（１１０）と支持面ユニット（１２０）は一体構造に形成されることができる。即ち、底面ユニット（１１０）と支持面ユニット（１２０）は単一な平面素材を設定された形状の展開図によって切開して形成されてもよい。
【００２６】
上記のように、支持面ユニット（１２０）が底面ユニット（１１０）の長手方向の上端部と分離して形成されるため、底面ユニット（１１０）と支持面ユニット（１２０）の間の内部空間（１３０）に箸（１）が挟まれることができる。
【００２７】
図５に示すように、本発明の第１実施例における支持面ユニット（１２０）は長手方向の下端部と上端部にて基本折畳み線（１４０）を形成する。所定の圧力で基本折畳み線（１４０）を押圧する押圧工程を通じて次の折畳みが円滑に行われる。これとは異なって、基本折畳み線（１４０）を微小な深さを有する溝に形成させてもよい。基本折畳み線（１４０）を微小な深さを有する溝に形成させるためにカッターを使用してもよい。また、支持面ユニット（１２０）は包装紙製造過程で基本折畳み線（１４０）に沿って折畳み処理されてから、広げて形成されてもよい。
【００２８】
支持面ユニット（１２０）の基本折畳み線（１４０）は支持面ユニット（１２０）の中央部位に向かって窪んで引っ込んだ形状から形成されてもよい。即ち、基本折畳み線（１４０）は、図６（ａ）に示されるように弧形状パターン、図６（ｂ）に示すような左右対称になる多角ライン形状パターン、図６（ｃ）に示すような左右対称になる曲線ラインと直線ラインが組合わされた形状パターンなどで形成されてもよい。
【００２９】
本発明の第１実施例における箸置き兼用箸簡易包装紙（１００）は、図７に示すように、底面ユニット（１１０）と支持面ユニット（１２０）の互いに対応する長手方向の上端部を共に掴んだ状態で長手方向の下段方向に支持面ユニット（１２０）を押す使用者の動作パターンによって、図８に示すように一組の基本折畳み線（１４０）の間の支持面ユニット（１２０）部位が膨らんで、図９に示すように箸置き機能を果たすことができる。即ち、一組の基本折畳み線（１４０）の間の支持面ユニット（１２０）部位が膨らむと、平面状態の包装紙がブロック体に立体化される。このようなブロック体に立体化された包装紙は箸置きとして使用される。
【００３０】
本発明の第１実施例における箸置き兼用箸簡易包装紙（１００）は、図９（ａ）に示されるように、支持面ユニット（１２０）の長手方向の上端部末端ラインに対応する部位に切込みライン（１９０）を形成する。該切込みライン（１９０）に沿って、図９（ｂ）に示すように底面ユニット（１１０）の上端部が切断されることができる。底面ユニット（１１０）は図１０（ａ）と（ｂ）に示されるように、切込みライン（１９０）の上側部位に設定パターンの補助折畳み線（１６０’）を追加して形成させることができ、これを通じて切断された底面ユニット（１１０）の上端部が補助折畳み線（１６０’）に沿って折畳まれて使い捨て簡易スプーンとして使用されてもよい。該使い捨て簡易スプーンは飲食店などで調味料を少量に取りまたは減らすことに使用される。
【００３１】
本発明の第２実施例における箸置き兼用箸簡易包装紙（１００）は、図１１に示されるように底面ユニット（１１０）の長手方向の下端部には支持面ユニット（１２０）の長手方向の下端部の基本折畳み線（１４０）に対応する底面折畳み線（１５０）が形成されている。底面折畳み線（１５０）も押圧工程により形成されてもよい。これとは異なって、底面折畳み線（１５０）は微小な深さを有する溝から形成されもよい。底面折畳み線（１５０）を微小な深さを有する溝に形成させるためには、カッターを使ってもよい。また、底面ユニット（１１０）は包装紙製造過程で底面折畳み線（１５０）に沿って折畳み処理されてから広げて形成されてもよい。
【００３２】
底面ユニット（１１０）の底面折畳み線（１５０）も底面ユニット（１１０）の中央部位に向かって窪んで引っ込んだ形状から形成されてもよい。即ち、底面折畳み線（１５０）は弧形状パターン、左右対称になる多角ライン形状パターン、左右対称になる曲線ラインと直線ラインが組合わされた形状パターンなどで形成されることができる。
【００３３】
このような底面ユニット（１１０）の底面折畳み線（１５０）及び支持面ユニット（１２０）の基本折畳み線（１４０）により、図１２に示されたように底面ユニット（１１０）及び支持面ユニット（１２０）が共に膨らんで包装紙のブロック体に立体化されて、更に円滑、かつ拡張して実現される。
【００３４】
また、本発明の第２実施例における箸置き兼用箸簡易包装紙（１００）は、図１３に示されるように、支持面ユニット（１２０）には長手方向に直線形状の補助折畳み線（１６０）が形成され、図１４に示されるように、補助折畳み線（１６０）により一組の基本折畳み線（１４０）の間の支持面ユニット（１２０）部位が膨らむ過程が安定、かつ円滑に行われる。
【００３５】
このような補助折畳み線（１６０）は、中央部に単一線で形成されてもよく、所定間隔にて離れて２以上の複数線から形成されてもよい。好ましくは、補助折畳み線（１６０）は長手方向の上下端に位置する一組の基本折畳み線（１４０）と連結して形成される。
【００３６】
本発明の実施例における箸置き兼用箸簡易包装紙（１００）は、図５及び図１３に示されるように、支持面ユニット（１２０）の長手方向の上端部末端は補助切片（１７０）が折畳み可能に形成される。該補助切片（１７０）は、図７と図１４に示されるように、使用者の指により掴まれてスライディング移動する過程で、一組の基本折畳み線（１４０）の間の支持面ユニット（１２０）部位が膨らむことによって、使用者の動作が更に便利になる。また、補助切片（１７０）は図１５に示されるように、底面ユニット（１１０）の上段部の設定部位に形成されるイベント用表示部（１８０）を隠す機能も果たし、箸を抜いた後、補助切片（１７０）が折畳まれる過程でイベント用表示部（１８０）が露出するため、使用者はいろんなイベントを楽しむことができる。イベント用表示部（１８０）は”当選”のような文字が印刷されてもよいが、これに限定されない。
【００３７】
上記のように構成される本発明の実施例における箸置き兼用箸簡易包装紙（１００）は、包装紙製作用展開図（２００）により切開して形成されてもよい。該包装紙製作用展開図（２００）は紙材質のシートに印刷されてもよく、転写されてもよいが、材質や出力様式は多く具現されるべきである。
【００３８】
包装紙製作用展開図（２００）は図１６に示されるように、底面ユニット（１１０）を形成する長い長方形状の第１平面（２１０）、支持面ユニット（１２０）を形成する長方形状の第２平面（２２０）から形成されてもよい。
【００３９】
該第２平面（２２０）は第１平面（２１０）の幅（ｗ）より大きい幅（Ｗ）から形成される一方、第１平面（２１０）の長さ（ｄ）より短い長さ（Ｄ）から形成される。
【００４０】
また、第２平面（２２０）は折畳まれて第１平面（２１０）に付着する左右側折畳み面（２２１）、外部に露出する露出面（２２２）から形成される。左右側折畳み面（２２１）と露出面（２２２）は図面上の点線により表示されている折り面（２４０）を境界にして区切られ、第１平面（２１０）と第２平面（２２０）も図面上の点線により示されている折り面（２４０）を境界に区切られている。一方、第２平面（２２０）の露出面（２２２）の一端部には補助切片（１７０）として使用される半円形状の切片面（２３０）が延伸し、露出面（２２２）と切片面（２３０）も折り面（２４０）を境界として区切られる。切片面（２３０）の上部には凹溝（１７１）が形成され、凹溝（１７１）は空間を活用するためのものであり、箸が包装紙へ円滑に挿入されるようにし、または包装紙に挿入された箸が円滑に取出されるための機能を果たす。
【００４１】
第２平面（２２０）には長手方向の両端部位に互いに対称されるように基本折畳み線（１４０）が弧形状に形成される一方、一組の基本折畳み線（１４０）と垂直する一組の補助折畳み線（１６０）が互いに平行するように離れて形成される。第１平面（２１０）にも第２平面の基本折畳み線（１４０）と折り面（２４０）を基準にして対称されるように底面折畳み線（１５０）が形成される。
【００４２】
包装紙製作用展開図（２００）が印刷／転写されたシートは、図１７に示されるように、折畳み処理及び接着処理されることで、本発明の実施例における箸置き兼用箸簡易包装紙（１００）を形成する。
【００４３】
本発明の実施例における箸置き兼用箸簡易包装紙（１００）は、図１８に示されるように切込み線（２５０）が形成される包装紙製作用展開図（２００）により切開して形成されてもよい。該包装紙製作用展開図（２００）は切込み線（２５０）が形成される以外、図１６と図１７に図示された包装紙製作用展開図（２００）と同じ構成を有する。ただし、切込み線（２５０）が形成される包装紙製作用展開図（２００）において、図１９に示されるように、折畳み処理及び接着処理された箸置き兼用箸簡易包装紙（１００）は実際の使用過程で使用者の選択により切込み線（２５０）に沿って底面ユニット（１１０）の上端部が切断されてもよい。
【００４４】
また、包装紙製作用展開図（２００）の第１平面（２１０）には図２０（ａ）及び（ｂ）に示されるように、底面折畳み線（１５０）から始まる直線である補助折畳み線（１６０”）が１つまたは２つ以上形成され、支持面ユニット（１２０）が折畳まれて箸支え機能を果たす際に、前記補助折畳み線（１６０”）により底面ユニット（１１０）も折畳まれて全体的に六面体などの多面体を形成することにより、箸支え機能が更に安定になって、円滑に行われることができる。
長手方向の両端部位には、互いに対称になるように基本折畳み線（１４０）が弧形状に形成される一方、一組の基本折畳み線（１４０）と垂直になる一組の補助折畳み線（１６０）が互いに平行して間隔を有して形成される。第１平面（２１０）にも第２平面の基本折畳み線（１４０）と折り面（２４０）を基準として対称になるように底面折畳み線（１５０）が形成される。
【００４５】
上記により構成された本発明の実施例における箸置き兼用箸簡易包装紙（１００）は、包装紙一面に形成される単純化された幾何学的パターン形状の折畳み線（１４０）（１５０）（１６０）により平面状態の包装紙がブロック体に立体化される構造を提供するため、ミニマリズム（ｍｉｎｉｍａｌｉｓｍ）デザインが具現されて包装紙の製作が簡便になると同時に、製造原価が削減されるメリットがある。また、本発明の実施例における箸置き兼用箸簡易包装紙（１００）は、折畳み線（１４０）（１５０）（１６０）が形成された包装紙の片側部位を掴んで一方向に押す単純動作によって包装紙がブロック体に立体化されて箸置き機能が果たされる構造を提供するため、使用者の不便または面倒さが最小化されて、包装紙を迅速、かつ容易に箸置きに変換させる特徴を有する。
【００４６】
さらに、本発明の実施例における箸置き兼用箸簡易包装紙（１００）は、包装紙の一面に形成されるイベント用表示部（１８０）が補助切片（１７０）により隠されたり露出される構造を提供するため、簡単なイベントも行うことができる。
【００４７】
これと共に、本発明の実施例における箸置き兼用箸簡易包装紙（１００）は、包装紙の一面に切込みライン（１９０）が形成されて箸置き機能を果たさない部位が切断されてもよく、切断部位に補助折畳み線（１６０”）が追加して形成されて、使い捨て簡易スプーンとして折畳まれて飲食店などで調味料を少量に取りまたは減らすことに使用され、これを通じて使用者の便宜を向上させることができる。
【００４８】
上述したように、本発明の実施例における箸置き兼用箸簡易包装紙について、明細書及び図面を用いて説明したが、これは例に過ぎず、本発明の技術的思想から離脱しない範囲内で多様な変化及び変更が可能であることは当業者が理解するべきできる。
【符号の説明】
【００４９】
１  箸
１００  箸置き兼用箸簡易包装紙
１１０  底面ユニット
１２０  支持面ユニット
１３０  内部空間
１４０  基本折畳み線
１５０  底面折畳み線
１６０，１６０’，１６０”  補助折畳み線
１７０  補助切片
１７１  凹溝
１８０  イベント用表示部
１９０  切込みライン
２００  包装紙製作用展開図
２１０  第１平面
２２０  第２平面
２２１  左右側折畳み面
２２２  露出面
２３０  切片面
２４０  折り面
２５０  切込み線
【図１】
2019181143.tif 000003
【図２】
2019181143.tif 000004
【図３】
2019181143.tif 000005
【図４】
2019181143.tif 000006
【図５】
2019181143.tif 000007
【図６】
2019181143.tif 000008
【図７】
2019181143.tif 000009
【図８】
2019181143.tif 000010
【図９】
2019181143.tif 000011
【図１０】
2019181143.tif 000012
【図１１】
2019181143.tif 000013
【図１２】
2019181143.tif 000014
【図１３】
2019181143.tif 000015
【図１４】
2019181143.tif 000016
【図１５】
2019181143.tif 000017
【図１６】
2019181143.tif 000018
【図１７】
2019181143.tif 000019
【図１８】
2019181143.tif 000020
【図１９】
2019181143.tif 000021
【図２０】
2019181143.tif 000022